(57)【要約】      （修正有）【課題】異なる大きさの網目を備えた網体を簡単に製造できる方法およびその製造装置を提供する。【解決手段】網体の製造方法は、複数の山形状列線２７、２８、３１、３５、３６の屈曲部２７ａ、２８ａ、３０ａ、３１ａ、３５ａ、３６ａ同士を相互に重ね合わせて大ループ状部３０と小ループ状部２９とを形成し、該小ループ状部２９を上下から挟持具１２で挟み、該挟持具１２の回転により小ループ状部２９を捻って小網目と大網目とを形成する。【選択図】  図９
2004330248.tif 000002
【特許請求の範囲】
【請求項１】
複数の山形状列線の屈曲部同士を相互に重ね合わせて大ループ状部と小ループ状部とを形成し、該小ループ状部を上下から挟持具で挟み、該挟持具の回転により小ループ状部を捻って小網目と大網目とを形成することを特徴とする網体の製造方法。
【請求項２】
複数の山形状列線の屈曲部同士が相互に重ね合わされて形成された小ループ状部を捻って小網目を形成する捻り用ピニオンと、該捻り用ピニオンに噛み合ったラックとからなる小網目形成装置がテーブル上に隣接して配設され、前記捻り用ピニオンは、上下に分割されてなる上部歯車と下部歯車とが合体した状態で、上部収納体と下部収納体とが合体してなる収納体内に回転自在に収納され、該収納体の底部に設けた開口部から捻り用ピニオンの歯が突出してラックの歯に噛み合わされ、上部収納体が上部歯車を収納した状態で、下部歯車を収納した下部収納体から分離可能であることを特徴とする網体の製造装置。
【請求項３】
小網目形成装置は一つおきにずれて配設されたことを特徴とする請求項１に記載の網体の製造装置。
【発明の詳細な説明】
【０００１】
【発明の属する技術分野】
本発明は網体の製造方法およびその製造装置に関するものである。
【０００２】
【従来の技術】
従来の網体の製造装置としては、例えば特開平５−１６９４８９号の発明が知られている。また網体としては、図１７に示すような菱形金網３８が知られている。この菱形金網３８は山形状列線３９の屈曲部４０同士を絡み合わせて形成したものであり、網目４１が全て同じ大きさになっている。
【０００３】
【特許文献１】
特開平５−１６９４８９号（図１）
【０００４】
【発明が解決しようとする課題】
しかし、上記のような網体において異なる大きさの網目を形成することはできないという問題があった。
【０００５】
本発明はこれらの問題に鑑みてなされたものであり、異なる大きさの網目を備えた網体を簡単に製造できる方法およびその製造装置を提供することである。
【０００６】
【課題を解決するための手段】
以上の課題を解決するための網体の製造方法は、複数の山形状列線の屈曲部同士を相互に重ね合わせて大ループ状部と小ループ状部とを形成し、該小ループ状部を上下から挟持具で挟み、該挟持具の回転により小ループ状部を捻って小網目と大網目とを形成することを特徴とする。
【０００７】
重ね合わせた屈曲部同士で形成された小ループ状部を捻ると、大網目と小網目とが同時に形成されるので、大きさの異なる大網目と小網目とを備えた網体を簡単に製造することができる。また重ね合わせた屈曲部同士で形成された小ループ状部を挟持具で挟んで捻ると、大網目と小網目とが同時に形成されるので、大きさの異なる大網目と小網目とを備えた網体を簡単に製造することができる。
【０００８】
また網体の製造装置は、複数の山形状列線の屈曲部同士が相互に重ね合わされて形成された小ループ状部を捻って小網目を形成する捻り用ピニオンと、該捻り用ピニオンに噛み合ったラックとからなる小網目形成装置がテーブル上に隣接して配設され、前記捻り用ピニオンは、上下に分割されてなる上部歯車と下部歯車とが合体した状態で、上部収納体と下部収納体とが合体してなる収納体内に回転自在に収納され、該収納体の底部に設けた開口部から捻り用ピニオンの歯が突出してラックの歯に噛み合わされ、上部収納体が上部歯車を収納した状態で、下部歯車を収納した下部収納体から分離可能であることを特徴とし、前記小網目形成装置は一つおきにずれて配設されている。
【０００９】
上部収納体が上部歯車を収納した状態で、下部歯車を収納した下部収納体から分離したときに、下部収納体上に小ループ状部が設置される。そして上部歯車を収納した上部収納体が下部収納体に合体して小ループ状部を上下から挟み付ける。この状態でラックがスライドして捻り用ピニオンを回転させると、多くの小網目が同時に形成される。また一つおきにずれて配設された小網目形成装置により、ずれた位置にある小網目が同時に形成される。
【００１０】
【発明の実施の形態】
以下、本発明の網体の製造方法および製造装置の実施の形態について説明する。はじめに網体の製造装置について説明し、その後に網体の製造方法について説明する。また各実施の形態において同じ構成は同じ符号を付して説明し、異なった構成にのみ異なった符号を付して説明する。
【００１１】
網体の製造装置１は、図１〜図３に示すように、基台２のテーブル３上に隣接または適宜間隔をもって並列状に配設した多数の小網目形成装置４により構成されている。この小網目形成装置４は一つおきに前後にずれて配設された捻り用ピニオン５と、この捻り用ピニオン５に噛み合ったラック６とから構成され、該ラック６が水平プレート７に取り付けられてシリンダー８で前後方向に移動できるようになっている。
【００１２】
この捻り用ピニオン５は、図４〜図８に示すように、上下に分割された上部歯車９と下部歯車１０とからなり、これらが合体した状態で、上部収納体１１と下部収納体１２とが合体してなる収納体１３内に収納されている。
【００１３】
また捻り用ピニオン５は側面に突出した環状突起１４が収納体１３の内側壁における軸１５に嵌め込まれ、この軸１５を中心に回転できるようになっている。また捻り用ピニオン５は歯１６が収納体１３の底部における開口部１７から突出してラックの歯１８に噛み合わされ、該ラック６の前後方向への移動によって収納体１３内で回転できるようになっている。
【００１４】
この捻り用ピニオン５は、図６に示すように、下部歯車１０を下部収納体１２に、上部歯車９を上部収納体１１にそれぞれ収納された状態で分離できる。この上部収納体１１が分離した状態でも、半割れの環状突起１４が半割れの軸１５に嵌め合わされているため上部歯車９が落下することはない。
【００１５】
また上部収納体１１は側壁２０間の垂直プレート１９に設置され、この垂直プレート１９の下部にはスライドガイド２１が設置されている。したがって、天板２３に設置されたシリンダー２２で垂直プレート１９が上下動可能となり、これにより上部収納体１１と下部収納体１２とが合体または分離し、合体した状態で収納体１３に形成される。
【００１６】
以上のように上部収納体１１が下部収納体１２から分離すると、図６に示す下部収納体１２には山形状列線の屈曲部を載せることができ、この屈曲部の線体を入れる凹溝２６が上下の収納体１１、１２に形成されている。また、上下の歯車９、１０の一方側には屈曲部の先端を入れる収納凹部２４が形成され、歯車９、１０の中央部には小ループ状部の捻り部（図１２の（２）参照）２５を形成するための半円形の凹部３４が形成されている。
【００１７】
この上部収納体１１と下部収納体１２とを分離するには、下部歯車１０が下部収納体１２に、上部歯車９が上部収納体１１に収納された状態でなければならないが、この状態はラック６の移動距離で調整する。すなわち、捻り用ピニオン５を３６０度または７２０度回転させる場合は、その回転分のラックの移動幅を設定する。例えば、図６に示すように、上下の収納体１１、１２が分離できる状態を通常の状態とし、この状態から所定の幅だけラック６を移動させると、捻り用ピニオン５が３６０度回転して、下部歯車１０が下部収納体１２に、上部歯車９が上部収納体１１に収納されて、上部収納体１１と下部収納体１２とが分離可能になる。また捻り用ピニオン５を７２０度回転させる場合も同じ操作を行うものとする。
【００１８】
次に、上記の網体の製造装置１を使用した網体の製造方法を図９〜図１６に基づいて説明する。はじめに、図１に示すように、シリンダー２２で垂直プレート１９を引き上げて、挟持具である上部収納体１１を下部収納体１２から分離させる。
【００１９】
そして、上部収納体１１が分離された下部収納体１２の上に、図９に示すように、第１および第２の山形状列線２７、２８の屈曲部２７ａ、２８ａを載せると、これらの屈曲部２７ａ、２８ａにより小ループ状部２９が一つおきの下部収納体１２ａ上に形成されるとともに、これらの小ループ状部２９間には大ループ状部３０が形成され、この大ループ状部の屈曲部３０ａが一つおきの下部収納体１２ｂが載せられる。
【００２０】
次に、この下部収納体１２ｂに第３の山形状列線３１の屈曲部３１ａを載せると前後に小ループ状部２９が形成される。これらの小ループ状部２９と大ループ状部３０とは、山形状列線の屈曲部２７ａ、２８ａ、３０ａ、３１ａ同士が上下に重なり合ったものであり、完全なループが形成される手前の状態をいう。
【００２１】
このように各下部収納体１２に小ループ状部２９を形成した後、図１０に示すように、シリンダー２２で垂直プレート１９を引き下げて、上部収納体１１を下部収納体１２に合体させた収納体１３内で上部歯車９と下部歯車１０とを合体させると、小ループ状部２９を挟み込んだ捻り用ピニオン５が形成される。
【００２２】
次に、図１１に示すように、水平プレート７によりラック６を所定の幅だけ前方に移動させると、捻り用ピニオン５が収納体１３内で軸１５を中心に３６０度回転する。そして、この回転によって小ループ状部２９が一回転して、図１２に示すように、小網目３２が形成されると同時に、これらの小網目３２間に大ループ状部３０による大網目３３が形成される。この小網目３２の捻り部２５は捻り用ピニオン５の中央部における凹部３４内で形成される。
【００２３】
このように捻り用ピニオン５を一回転させると、下部収納体１２には下部歯車１０が、上部収納体１１には上部歯車９がそれぞれ収納されて上下に分離可能となり、シリンダー２２で垂直プレート１９を引き上げて上部収納体１１を下部収納体１２から分離させる。
【００２４】
次に、図１３に示すように、各小網目３２を下部収納体１２から取り外すとともに前側に移動させる。そして、図１４に示すように、第３の山形状列線３１の屈曲部３１ａを前側の下部収納体１２に載せる。
【００２５】
次に、図１５に示すように、第４の山形状列線３５の屈曲部３５ａを前後の下部収納体１２に載せて、前側の下部収納体１２に小ループ状部２９を形成するとともに、第５の山形状列線３６の屈曲部３６ａを後側の下部収納体１２に載せて小ループ状部２９を形成する。この状態から上記と同じ操作を行うと、小網目３２と大網目３３とが同時に形成される。
【００２６】
次いで、以上のような操作を順次繰り返すことにより、図１６に示すような、網体３７が形成される。
【００２７】
【発明の効果】
異なる大きさの網目を備えた網体を簡単に製造することができる。ずれた位置にある多くの小網目を同時に形成することができる。
【図面の簡単な説明】
【図１】網体の製造装置の側面図である。
【図２】網体の製造装置の正面図である。
【図３】図２のＡ−Ａ線断面図である。
【図４】小網目形成装置の斜視図である。
【図５】（１）および（２）は小網目形成装置の断面図である。
【図６】上下の収納体が分離した小網目形成装置の斜視図である。
【図７】下部収納体の斜視図である。
【図８】上部収納体の斜視図である。
【図９】（１）は山形状列線を下部収納体に載せた平面図、（２）は（１）の拡大平面図である。
【図１０】上下の収納体が合体した網体の製造装置の正面図である。
【図１１】上下の収納体が合体した網体の製造装置の側面図である。
【図１２】（１）は小網目を形成した網線を載せた下部収納体の平面図、（２）は同下部収納体の斜視図である。
【図１３】小網目を形成した網線を移動させた下部収納体の平面図である。
【図１４】下部収納体に第４の山形状列線を載せた平面図である。
【図１５】下部収納体に第５の山形状列線を載せた平面図である。
【図１６】網体の平面図である。
【図１７】従来の網体の平面図である。
【符号の説明】
１  網体の製造装置
２  基台
３  テーブル
４  小網目形成装置
５  捻り用ピニオン
６  ラック
７  水平プレート
８、２２  シリンダ
９  上部歯車
１０  下部歯車
１１  上部収納体
１２  下部収納体
１３  収納体
１４  環状突起
１５  軸
１６  捻り用ピニオンの歯
１７  開口部
１８  ラックの歯
１９  垂直プレート
２０  側壁
２１  スライドガイド
２３  天板
２４  収納凹部
２５  捻り部
２６  凹溝
２７  第１の山形状列線
２７ａ、２８ａ、３０ａ、３１ａ、３５ａ、３６ａ、４０  屈曲部
２８  第２の山形状列線
２９  小ループ状部
３０  大ループ状部
３１  第３の山形状列線
３２  小網目
３３  大網目
３４  凹部
３５  第４の山形状列線
３６  第５の山形状列線
３７  網体
３８  菱形金網
３９  山形状列線
４１  網目
【図１】
2004330248.tif 000003
【図２】
2004330248.tif 000004
【図３】
2004330248.tif 000005
【図４】
2004330248.tif 000006
【図５】
2004330248.tif 000007
【図６】
2004330248.tif 000008
【図７】
2004330248.tif 000009
【図８】
2004330248.tif 000010
【図９】
2004330248.tif 000011
【図１０】
2004330248.tif 000012
【図１１】
2004330248.tif 000013
【図１２】
2004330248.tif 000014
【図１３】
2004330248.tif 000015
【図１４】
2004330248.tif 000016
【図１５】
2004330248.tif 000017
【図１６】
2004330248.tif 000018
【図１７】
2004330248.tif 000019
【手続補正書】
【提出日】平成16年3月22日(2004.3.22)
【手続補正１】
【補正対象書類名】明細書
【補正対象項目名】特許請求の範囲
【補正方法】変更
【補正の内容】
【特許請求の範囲】
【請求項１】
複数の山形状列線の屈曲部同士を相互に重ね合わせて大ループ状部と小ループ状部とを形成し、該小ループ状部を上下から挟持具で挟み、該挟持具の回転により小ループ状部を捻って小網目と大網目とを形成することを特徴とする網体の製造方法。
【請求項２】
複数の山形状列線の屈曲部同士が相互に重ね合わされて形成された小ループ状部を捻って小網目を形成する捻り用ピニオンと、該捻り用ピニオンに噛み合ったラックとからなる小網目形成装置がテーブル上に隣接して配設され、前記捻り用ピニオンは、上下に分割されてなる上部歯車と下部歯車とが合体した状態で、上部収納体と下部収納体とが合体してなる収納体内に回転自在に収納され、該収納体の底部に設けた開口部から捻り用ピニオンの歯が突出してラックの歯に噛み合わされ、上部収納体が上部歯車を収納した状態で、下部歯車を収納した下部収納体から分離可能であることを特徴とする網体の製造装置。
【請求項３】
小網目形成装置は一つおきにずれて配設されたことを特徴とする請求項２に記載の網体の製造装置。